(57)【要約】【課題】仕切板に固定された管継手に管部材を接続させる際に、管継手が回転してしまうのを簡易な構成で抑制することができる管継手の固定構造を得る。【解決手段】作業者がリングナット３６を挿通部位２２の外周ネジ２２Ａにねじ込むことで、管継手２０が仕切壁１６に固定される。この状態で、浴室１２側から、作業者は、スパナ１００を用いて六角リング３８の外周平面部位４６を挟み込むことで六角リング３８の回転を抑制した後、ソケット管５２を挿通部位２２の内周ネジ２２Ｂにねじ込む。ソケット管５２を内周ネジ２２Ｂにねじ込むことで管継手２０が回転しようとしても、六角リング３８の回転が抑制されているため、管継手２０の回転も抑制される。このように、仕切板に固定された管継手に管部材を接続させる際に、管継手が回転してしまうのを簡易な構成で抑制することができる。【選択図】図１
2014035051.tif 000002
【特許請求の範囲】
【請求項１】
区画を仕切る仕切板に形成された貫通孔に挿通される筒状の挿通部位と、前記挿通部位と連通する管部位と、前記挿通部位と連記管部位との間に形成されて前記仕切板と当たって前記挿通部位の挿通量を規制する規制部位と、前記挿通部位の外周面に形成される外周ネジ部位と、挿通部位の内周面に形成される内周ネジ部位と、前記外周ネジ部位のネジ形状が周方向に分割されることで形成され、前記挿通部位の挿通方向に延びる第一平面部位と、を備える管継手と、
前記挿通部位を前記貫通孔に挿通させた状態で、前記外周ネジ部位にねじ込むことで前記規制部位との間で前記仕切板を挟み込んで前記管継手を前記仕切板に固定させる固定部材と、
を備える管継手の固定構造。
【請求項２】
前記第一平面部位に沿った第二平面部位を有して前記挿通部位が挿通可能な挿通孔が形成されると共に、外周面の少なくとも一部に平面状の外周平面部位が形成され、前記固定部材によって前記管継手が前記仕切板に固定された状態で、前記第二平面部位が前記第一平面部位と対向するように配置される中間部材を備える請求項１に記載の管継手の固定構造。
【請求項３】
前記内周ネジ部位にねじ込まれることで前記挿通部位に連結される管部材と、
前記管部材の端側に取り付けられ、前記管部材が前記挿通部位に連結された状態で前記挿通部位を覆うと共に、前記挿通部位を覆った状態で前記中間部材の外周面を外部に露出する覆い部材と、
を備える請求項２に記載の管継手の固定構造。
【請求項４】
前記挿通部位の外形形状に沿った通過孔が形成され、前記固定部材によって前記管継手が前記仕切板に固定された状態で、前記固定部材と前記仕切板との間に配置されて前記区画を跨って流体が流通すること抑制するリング状の止水部材を備える請求項２又は３に記載の管継手の固定構造。
【発明の詳細な説明】
【技術分野】
【０００１】
本発明は、区画を仕切る仕切板に形成された貫通孔に一部を挿通させてこの仕切板に固定される管継手の固定構造に関する。
【背景技術】
【０００２】
特許文献１には、床板に形成された貫通孔に一部を挿通させてこの床板に固定される管継手の固定構造が記載されている。この管継手の固定構造によると、管継手が金属フレームを介して床基礎面と固定されている。このため、管継手が強固に取り付けられおり、管継手に管部材を接続させる際に、管継手が回転してしまうのが抑制されるようになっている。
【先行技術文献】
【特許文献】
【０００３】
【特許文献１】特開平１１−１３９４４号公報
【発明の概要】
【発明が解決しようとする課題】
【０００４】
しかしながら、従来の固定構造では、床板（仕切板）と床基礎面との間でボルト締め等の作業が必要であったため、作業工数が増加すると共に複雑な構成となっていた。
【０００５】
本発明の課題は、仕切板に固定された管継手に管部材を接続させる際に、管継手が回転してしまうのを簡易な構成で抑制することである。
【課題を解決するための手段】
【０００６】
本発明の請求項１に係る管継手の固定構造は、区画を仕切る仕切板に形成された貫通孔に挿通される筒状の挿通部位と、前記挿通部位と連通する管部位と、前記挿通部位と連記管部位との間に形成されて前記仕切板と当たって前記挿通部位の挿通量を規制する規制部位と、前記挿通部位の外周面に形成される外周ネジ部位と、挿通部位の内周面に形成される内周ネジ部位と、前記外周ネジ部位のネジ形状が周方向に分割されることで形成され、前記挿通部位の挿通方向に延びる第一平面部位と、を備える管継手と、前記挿通部位を前記貫通孔に挿通させた状態で、前記外周ネジ部位にねじ込むことで前記規制部位との間で前記仕切板を挟み込んで前記管継手を前記仕切板に固定させる固定部材と、を備えることを特徴とする。
【０００７】
上記構成により管継手を仕切板に取り付ける際には、先ず、仕切板に対して一方側から、作業者は、仕切板に形成された貫通孔に管継手の挿通部位を挿通させる。挿通部位を貫通孔に挿通させると、管継手の規制部位が仕切板と当たることで、挿通部位の挿通量が規制される。この状態で、挿通部位の先端側が仕切板に対して他方側に露出する。
【０００８】
次に、仕切板に対して他方側から、作業者は、固定部材を挿通部位に形成された外周ネジ部位にねじ込む。これにより、規制部位と固定部材との間で仕切板を挟み込むことで、管継手が仕切板に固定される。さらに、仕切板に対して他方側から、作業者は、挿通部位の内周面に形成された内周ネジ部位に他の管部材をねじ込むことで、管部材を挿通部位に連結させる。
【０００９】
ここで、挿通部位には、外周ネジ部位のネジ形状が周方向に分割されることで第一平面部位が形成されている。そこで、他の管部材を挿通部位の内周ネジ部位にねじ込む際に、作業者が、仕切板に対して他方側から第一平面部位を例えば工具等を用いて挟み込むことで、管継手の回転が抑制される。
【００１０】
このように、仕切板に固定された管継手に管部材を接続させる際に、管継手が回転してしまうのを簡易な構成で抑制することができる。
【００１１】
本発明の請求項２に係る管継手の固定構造は、請求項１記載において、前記第一平面部位に沿った第二平面部位を有して前記挿通部位が挿通可能な挿通孔が形成されると共に、外周面の少なくとも一部に平面状の外周平面部位が形成され、前記固定部材によって前記管継手が前記仕切板に固定された状態で、前記第二平面部位が前記第一平面部位と対向するように配置される中間部材を備えることを特徴とする。
【００１２】
上記構成によれば、中間部材の第二平面部位が第一平面部位と対向するように配置される。仕切板に固定された管継手に管部材を接続させる際に仕切板に、作業者は、中間部材の外周に形成された外周平面部位を例えば工具等を用いて挟み込む。管継手が回転しようとすると、挿通部位に形成された第一平面部位が、中間部材の挿通孔に形成された第二平面部位に当たり、管継手の回転が抑制される。
【００１３】
このように、中間部材を用いることで、第一平面部位を例えば工具等を用いて挟み込む場合と比して、容易に管継手が回転してしまうのを抑制することができる。
【００１４】
本発明の請求項３に係る管継手の固定構造は、請求項２記載において、前記内周ネジ部位にねじ込まれることで前記挿通部位に連結される管部材と、前記管部材の端側に取り付けられ、前記管部材が前記挿通部位に連結された状態で前記挿通部位を覆うと共に、前記挿通部位を覆った状態で前記中間部材の外周面を外部に露出する覆い部材と、を備えることを特徴とする。
【００１５】
上記構成によれば、管部材が挿通部位に連結されて覆い部材が挿通部位を覆った状態で、中間部材の外周縁が外部に露出する。このため、中間部材の外周平面部位を例えば工具等を用いて挟み込む際に、覆い部材が工具に干渉するのを抑制することができる。
【００１６】
本発明の請求項４に係る管継手の固定構造は、請求項２又は３記載において、前記挿通部位の外形形状に沿った通過孔が形成され、前記固定部材によって前記管継手が前記仕切板に固定された状態で、前記固定部材と前記仕切板との間に配置されて前記区画を跨って流体が流通すること抑制するリング状の止水部材を備えることを特徴とする。
【００１７】
上記構成によれば、止水部材が、固定部材と仕切板との間に配置されているため、区画を跨って流体が流通するのを抑制することができる。
【発明の効果】
【００１８】
本発明によれば、仕切板に固定された管継手に管部材を接続させる際に、管継手が回転してしまうのを簡易な構成で抑制することができる。
【図面の簡単な説明】
【００１９】
【図１】本発明の実施形態に係る管継手の固定構造を示した分解斜視図である。
【図２】本発明の実施形態に係る管継手の固定構造を示し、ゴムパッキンを挿通部位に取り付けた状態を示した斜視図である。
【図３】本発明の実施形態に係る管継手の固定構造を示し、六角リング及びリングナットを挿通部位に取り付けた状態を示した斜視図である。
【図４】本発明の実施形態に係る管継手の固定構造を示し、六角リング及びリングナットを挿通部位に取り付けた状態を示した側面図である。
【図５】本発明の実施形態に係る管継手の固定構造を示し、六角リング及びリングナットを挿通部位に取り付けた状態を示した斜視図である。
【図６】本発明の実施形態に係る管継手の固定構造を示し、ソケット管を挿通部位に取り付けている状態又はソケット管を挿通部位から取り外している状態を示した斜視図である。
【図７】本発明の実施形態に係る管継手の固定構造を示し、ソケット管を挿通部位に取り付けた状態を示した斜視図である。
【図８】（Ａ）（Ｂ）本発明の実施形態に係る管継手の固定構造に用いられる管継手を示した斜視図及び正面図である。
【図９】（Ａ）（Ｂ）本発明の実施形態に係る管継手の固定構造に用いられるゴムパッキン及び六角リングを示した正面図である。
【図１０】本発明の実施形態に係る管継手の固定構造に用いられた六角リングの変形例を示した正面図である。
【発明を実施するための形態】
【００２０】
本発明の実施形態に係る管継手の固定構造の一例を、図１〜図１０に基づいて説明する。
（全体構成）
図１に示されるように、本実施形態に係る管継手の固定構造１０（以下単に「固定構造」と記載する）は、浴室１２と浴室の外部１４とを仕切る仕切板の一例としての仕切壁１６に固定される管継手２０を備えている。
【００２１】
具体的には、この仕切壁１６には、仕切壁１６の表裏を貫通する円状の貫通孔１６Ａが形成され、この貫通孔１６Ａに後述する挿通部位２２が挿通されて管継手２０が仕切壁１６に固定されるようになっている。
【００２２】
〔管継手〕
管継手２０は、浴室の外部１４から貫通孔１６Ａに挿通される円筒状の挿通部位２２と、挿通部位２２の端部に形成されて挿通部位２２が貫通孔１６Ａに挿通された際に仕切壁１６の板面と当たって挿通部位２２の挿通量を規制する規制部位の一例としての鍔部位２４と、を備えている。鍔部位２４は、貫通孔１６Ａの径寸法よりも大径化されることで、仕切壁１６の板面と当たるようになっている。
【００２３】
さらに、管継手２０は、鍔部位２４を挟んで挿通部位２２の反対側に配置されると共に途中で屈曲されている管部位２６と、管部位２６の端部に備えられて別の管体が接続可能な管接続部位２８と、を備えている。
【００２４】
一方、挿通部位２２の外周面には、外周ネジ部位の一例としての外周ネジ２２Ａが形成され、挿通部位２２の内周面には、内周ネジ部位の一例としての内周ネジ２２Ｂが形成されている。
なお、外周ネジ２２Ａを周方向に分割することで形成される平面部位２２Ｃについては詳細を後述する。
【００２５】
〔リングナット〕
また、固定構造１０には、挿通部位２２を貫通孔１６Ａに挿通させた状態で、浴室１２側から外周ネジ２２Ａにねじ込まれる固定部材の一例としてのリングナット３６が、備えられている。浴室１２側から、作業者が、このリングナット３６を外周ネジ２２Ａにねじ込むことで、リングナット３６と鍔部位２４との間で仕切壁１６を挟み込み、管継手２０が仕切壁１６に固定されるようになっている。
【００２６】
具体的には、リング状とされたリングナット３６の内周面には、外周ネジ２２Ａと噛み合うネジ３６Ａが形成されており、リングナット３６を周方向に回転させることで、リングナット３６のネジ３６Ａが外周ネジ２２Ａにねじ込まれるようになっている。
【００２７】
〔六角リング〕
さらに、固定構造１０には、挿通部位２２が挿通可能な挿通孔４０が形成され、挿通部位２２が貫通孔１６Ａに挿通される挿通方向（以下単に「挿通方向」と記載する）から見て、六角形とされた中間部材の一例としての六角リング３８が、備えられている（図９（Ｂ）参照）。換言すれば、六角リング３８の外周面４２は、６個の外周平面部位４６から構成されている。
【００２８】
そして、この六角リング３８は、挿通部位２２を貫通孔１６Ａに挿通させてリングナット３６を外周ネジ２２Ａにねじ込んだ状態で、リングナット３６と仕切壁１６との間に配置されるようになっている。
なお、六角リング３８の挿通孔４０の形状については詳細を後述する。
【００２９】
〔ゴムパッキン〕
また、固定構造１０には、リングナット３６を用いて管継手２０を仕切壁１６に固定した状態で、六角リング３８と仕切壁１６との間に配置される止水部材の一例としてのリング状のゴムパッキン４８が、備えられている。
【００３０】
ゴムパッキン４８には、挿通部位２２が通過可能な通過孔４８Ａが形成され、挿通方向から見て、通過孔４８Ａは、挿通部位２２の外形形状に沿って形成されている（図９（Ａ）参照）。そして、ゴムパッキン４８は、浴室１２と浴室の外部１４とを跨って水（流体の一例）が流通するのを抑制するようになっている。
【００３１】
〔ソケット管〕
さらに、固定構造１０には、図５に示されるように、仕切壁１６に固定された挿通部位２２の内周ネジ２２Ｂにねじ込まれることで挿通部位２２に連結される管部材の一例としてのソケット管５２が、備えられている。
【００３２】
ソケット管５２は、２箇所が屈曲したクランク状とされており、ソケット管５２の一端側（挿通部位２２に連結に連結される側）の外周面には、内周ネジ２２Ｂにねじ込まれるネジ５２Ａが形成されており、ソケット管５２の他端側は、図示せぬシャワー等の水栓器具へ接続されるようになっている。
【００３３】
さらに、ソケット管５２の一端側には、ソケット管５２が挿通部位２２に連結された状態で挿通部位２２を覆う覆い部材の一例としてのワン座５４が取り付けられている。ワン座５４は、内部が挿通部位２２側に向けられた所謂お椀形状とされ、挿通方向から見て、ワン座５４の外周縁５４Ａは、六角リング３８の外周面４２より小さくされている。換言すれば、ワン座５４が挿通部位２２を覆った状態で、六角リング３８の外周面４２が外部に露出する形状とされている。
【００３４】
（要部構成）
次に、挿通部位２２の外周ネジ２２Ａのネジ形状を周方向に分割することで形成される平面部位２２Ｃ等について説明する。
【００３５】
図８（Ａ）（Ｂ）に示されるように、挿通部位２２には、挿通方向に延びると共に外周ネジ２２Ａのネジ形状を周方向に分割することで形成される第一平面部位の一例として一対の平面部位２２Ｃが形成されている。
【００３６】
一対の平面部位２２Ｃは、挿通部位２２の軸線を挟んで互いに反対側に形成され、平行になるように配置されている。
【００３７】
一方、挿通方向から見て、六角リング３８の挿通孔４０は、図９（Ｂ）に示されるように、挿通部位２２の外形形状に沿った形状とされている。詳細には、挿通孔４０は、挿通部位２２の外周ネジ２２Ａに沿った一対の円弧部位４０Ａと、挿通部位２２の平面部位２２Ｃに沿った第二平面部位の一例としての一対の平面部位４０Ｂと、から構成されている。
【００３８】
これにより、例えば、挿通部位２２に六角リング３８の挿通孔４０を挿通させた状態で、挿通部位２２を挿通部位２２の周方向に回転させると、挿通部位２２の平面部位２２Ｃと六角リング３８の平面部位４０Ｂとが当たるようになっている。そして、挿通部位２２と六角リング３８とが供回り（同期して回る）するようになっている。
【００３９】
（作用・効果）
次に、固定構造１０を用いて、管継手２０を仕切壁１６に取り付ける作業について、新築時と改築時（リニューアル時）とに分けて説明する。
【００４０】
〔新築時〕
最初に新築時の作業について説明する。浴室１２にシャワー等の水栓器具が設置されていない状態で、作業者は、管継手２０を仕切壁１６に取り付ける。
【００４１】
先ず、図２に示されるように、作業者は、浴室の外部１４側から管継手２０の挿通部位２２を仕切壁１６に形成された貫通孔１６Ａ（図１参照）に挿通させる。さらに、作業者は、浴室１２側からゴムパッキン４８の通過孔４８Ａを挿通部位２２に挿通させ、ゴムパッキン４８を挿通部位２２に取り付ける。具体的には、ゴムパッキン４８を挿通部位２２に取り付ける際には、作業者は、ゴムパッキン４８を挿通方向に移動させ、ゴムパッキン４８の通過孔４８Ａが挿通部位２２の外周形状に沿うようにゴムパッキン４８を挿通部位２２に取り付ける。
【００４２】
次に、図２、図３、図４に示されるように、浴室１２側から、作業者は、六角リング３８の挿通孔４０を挿通部位２２に挿通させ、六角リング３８を挿通部位２２に取り付ける。具体的には、六角リング３８を挿通部位２２に取り付ける際には、作業者は、六角リング３８を挿通方向に移動させ、六角リング３８の挿通孔４０を構成する円弧部位４０Ａ及び平面部位４０Ｂ（図９（Ｂ）参照）が挿通部位２２の外周形状に沿うように六角リング３８を挿通部位２２に取り付ける。
【００４３】
次に、浴室１２側から、作業者は、リングナット３６を挿通部位２２の外周ネジ２２Ａにねじ込む。これにより、リングナット３６と鍔部位２４との間で、ゴムパッキン４８及び六角リング３８を介して仕切壁１６を挟み込むことで、管継手２０が仕切壁１６に固定される。
この状態で、浴室の外部１４で、作業者は、管継手２０に備えられた管接続部位２８へ図示せぬ管体の端部を接続する。
【００４４】
次に、図５、図６に示されるように、浴室１２側から、作業者は、ソケット管５２の一端側を挿通部位２２の内周ネジ２２Ｂにねじ込む。
【００４５】
具体的には、浴室１２側から、作業者は、スパナ１００を用いて六角リング３８の外周平面部位４６（図１参照）を挟み込むことで六角リング３８の回転を抑制する。この状態で、作業者は、ソケット管５２の他端側を把持して、ソケット管５２を回転させる（図６矢印Ｂ参照）。これにより、図７に示されるように、ソケット管５２の一端側が挿通部位２２の内周ネジ２２Ｂにねじ込まれ、さらに、ワン座５４によって、挿通部位２２が覆われる。
【００４６】
ソケット管５２を挿通部位２２の内周ネジ２２Ｂにねじ込むことで管継手２０が回転しようとしても、六角リング３８の回転が抑制されているため、六角リング３８の平面部位４０Ｂと挿通部位２２の平面部位２２Ｃとが当たり、管継手２０の回転が抑制される。
【００４７】
そして、図示せぬ水栓器具を浴室１２に設置する際に、水栓器具の管体とソケット管５２の他端部を接続して作業が終了する。
【００４８】
〔改築時〕
次に、改築時の作業について説明する。具体的には、浴室１２に設置されるシャワー等の水栓器具及び浴室外部に設置される配管を交換する際の作業について説明する。
【００４９】
作業者は、古い水栓器具及び配管を浴室１２から取り外す。さらに、図６に示されるように、浴室１２側から、作業者は、スパナ１００を用いて六角リング３８の外周平面部位４６（図１参照）を挟み込むことで六角リング３８の回転を抑制する。この状態で、作業者は、ソケット管５２の他端側を把持して、ソケット管５２を回転させる（図６矢印Ｃ参照）。これにより、図５に示されるように、作業者は、ソケット管５２を挿通部位２２から離脱させる。
【００５０】
ソケット管５２を挿通部位２２の内周ネジ２２Ｂから緩めることで管継手２０が回転しようとしても、六角リング３８の回転が抑制されているため、六角リング３８の平面部位４０Ｂと挿通部位２２の平面部位２２Ｃとが当たり、管継手２０の回転が抑制される。
【００５１】
また、作業者は、浴室の外部１４側の配管を交換し、再度新たなソケット管５２を挿通部位２２に取り付ける。この作業については、新築時にソケット管５２を挿通部位２２に取り付けるのと同様であり、浴室１２側からの作業により、新たなソケット管５２が挿通部位２２に取り付けられる（図６参照）。
【００５２】
さらに、図示せぬ新たなシャワー等の水栓器具を浴室１２に設置する際に、新たな水栓器具の管体と新たなソケット管５２の他端部を接続して作業が終了する。
【００５３】
以上説明したように、ソケット管５２を挿通部位２２に取り付ける際、又はソケット管５２を挿通部位２２から取り外す際に、六角リング３８を用いることで、浴室１２側からの作業だけで、管継手２０が回転してしまうのを抑制することができる。換言すれば、仕切壁１６に固定された管継手２０にソケット管５２を接続させる際に、管継手２０が回転してしまうのを簡易な構成で抑制することができる。
【００５４】
また、浴室１２側からの作業だけとなるため、一人で作業をすることがき、さらに、作業工数を低減することができる。
【００５５】
また、ワン座５４の外周縁５４Ａは、六角リング３８の外周面４２より小さくされている。このため、スパナ１００を用いて六角リング３８の外周平面部位４６を挟み込む際に、ワン座５４とスパナ１００とが干渉するのを抑制することができる。
【００５６】
また、六角リング３８と仕切壁１６との間に、ゴムパッキン４８が配置されている。これにより、浴室１２と浴室の外部１４とを跨って水（流体の一例）が流通するのを抑制することができる。
また、六角リング３８を介して管継手２０の回転を抑制するため、挿通部位２２の平面部位２２Ｃを直接工具等で挟み込む場合と比して、容易に管継手２０の回転を抑制することができる。
【００５７】
なお、本発明を特定の実施形態について詳細に説明したが、本発明はかかる実施形態に限定されるものではなく、本発明の範囲内にて他の種々の実施形態をとることが可能であることは当業者にとって明らかである。例えば、上記実施形態では、仕切板の一例として仕切壁１６を用いて説明したが、仕切床（床板）又は仕切天井（天井板）等であってもよい。
【００５８】
また、上記実施形態では、中間部材の一例としての六角リング３８を用いて説明したが、特に六角に限定されず、挿通方向からみて外周面の少なくとも一部に平面部位が形成されていればよい。
【００５９】
また、上記実施形態では、挿通方向から見て、六角リング３８の挿通孔４０は、挿通部位２２の外形形状に沿った形状とされたが、特にこの形状に限定されず、平面部位２２Ｃに平面部位４０Ｂが沿っていれば良く、例えば、挿通孔６０が矩形状等であってもよい（図１０参照）。
【００６０】
また、上記実施形態では、六角リング３８を介して管継手２０の回転を抑制したが、挿通部位２２の平面部位２２Ｃを工具等で直接挟み込むことで、管継手２０の回転を抑制してもよい。
【符号の説明】
【００６１】
１０          固定構造（管継手の固定構造）
１６          仕切壁（仕切板の一例）
１６Ａ        貫通孔
２０          管継手
２２          挿通部位
２２Ａ        外周ネジ（外周ネジ部位の一例）
２２Ｂ        内周ネジ（内周ネジ部位の一例）
２２Ｃ        平面部位（第一平面部位の一例）
２４          鍔部位（規制部位の一例）
２６          管部位
３６          リングナット（固定部材の一例）
３８          六角リング（中間部材の一例）
４０          挿通孔
４０Ｂ        平面部位（第二平面部位の一例）
４２          外周面
４６          外周平面部位
４８          ゴムパッキン（止水部材の一例）
４８Ａ        通過孔
５２          ソケット管（管部材の一例）
５４          ワン座（覆い部材の一例）
【図１】
2014035051.tif 000003
【図２】
2014035051.tif 000004
【図３】
2014035051.tif 000005
【図４】
2014035051.tif 000006
【図５】
2014035051.tif 000007
【図６】
2014035051.tif 000008
【図７】
2014035051.tif 000009
【図８】
2014035051.tif 000010
【図９】
2014035051.tif 000011
【図１０】
2014035051.tif 000012